(57)【要約】【課題】着用者の乳房を確実に持ち上げることができるブラジャーを提供する。【解決手段】着用者の胸部中心部分から脇下部分へ左右に位置し、左側乳房および右側乳房を覆って支持する左カップ１１および右カップ１２を有し、両カップが胸部中心部分側で連結されたブラジャーであり、固定部Ｋが左カップ１１の左下カップ部１１ａの胸部中心部分側に固定され、着脱部Ｃが左下カップ部１１ａの脇下部分側に設けた受け部Ｕに対して、左側乳房を下方から支持し上方に持ち上げる度合を調節自在でかつ着脱自在に固定される左支持部材２０と、固定部Ｋが右カップ１２の右下カップ部１２ａの胸部中心部分側に固定され、着脱部Ｃが右下カップ部１２ａの脇下部分側に設けた受け部Ｕに対して、右側乳房を下方から支持し上方に持ち上げる度合を調節自在でかつ着脱自在に固定される右支持部材３０とで構成する。【選択図】図１
2020100905.tif 000002
【特許請求の範囲】
【請求項１】
着用者の胸部中心部分から脇下部分にわたって左右に位置し、前記着用者の左側乳房および右側乳房をそれぞれ覆って支持する左カップおよび右カップを有し前記両カップが前記胸部中心部分側で連結されたブラジャーであって、
一端部である固定部が、前記左カップの略下半部である左下カップ部の前記胸部中心部分側に固定され、他端部である着脱部が、前記左下カップ部の前記脇下部分側に設けた受け部に対して、前記左側乳房を下方から支持し上方に持ち上げる度合を調節自在でかつ着脱自在に固定される左支持部材と、
一端部である固定部が、前記右カップの略下半部である右下カップ部の前記胸部中心部分側に固定され、他端部である着脱部が、前記右下カップ部の前記脇下部分側に設けた受け部に対して、前記右側乳房を下方から支持し上方に持ち上げる度合を調節自在でかつ着脱自在に固定される右支持部材を備えることを特徴とする調整式ブラジャー。
【請求項２】
前記左支持部材および前記右支持部材を、柔軟性のある紐片で形成したことを特徴とする請求項１に記載の調整式ブラジャー。
【請求項３】
前記左支持部材および前記右支持部材を、前記左下カップ部および前記右下カップ部の輪郭に対応した湾曲形状の硬質片で形成したことを特徴とする請求項１に記載の調整式ブラジャー。
【請求項４】
前記左支持部材および前記右支持部材をそれぞれ２本以上設けたことを特徴とする請求項１乃至３のうちいずれか一つに記載の調整式ブラジャー。
【請求項５】
前記左カップおよび前記右カップを少なくとも前部層と後部層を有する二層構造とし、前記左支持部材および前記右支持部材のそれぞれを、前記前部層と前記後部層との間に挟み込み、その前記着脱部が前記脇下部分側で露出する状態で設けたことを特徴とする請求項１乃至４のうちいずれか一つに記載の調整式ブラジャー。
【請求項６】
前記左下カップ部と、前記左支持部材の前記着脱部を除く部分を一体化し、前記左支持部材を前記左下カップ部よりも弾力のある弾性材で形成し、
前記右下カップ部と、前記右支持部材の前記着脱部を除く部分を一体化し、前記右支持部材を前記右下カップ部よりも弾力のある弾性材で形成
したことを特徴とする請求項１に記載の調整式ブラジャー。
【請求項７】
前記着脱部と前記受け部を面ファスナーで構成したことを特徴とする請求項１乃至６のうちいずれか一つに記載の調整式ブラジャー。
【請求項８】
前記着脱部と前記受け部を凹部と凸部の係合構造で構成したことを特徴とする請求項１乃至６のうちいずれか一つに記載の調整式ブラジャー。
【発明の詳細な説明】
【技術分野】
【０００１】
本発明は、着用者の乳房を、確実に、下から調節自在に支持し、上方に持ち上げることができる調整式ブラジャーに関するものである。
【背景技術】
【０００２】
乳房を支持するための製品としてブラジャーが使用される。このブラジャーは、一般に、左右のカップと、左右のカップの端部に接続された左右のサイドベルトと、左右のカップの上端部と左右のサイドベルトの略端部とを接続する左右の肩紐とで構成される。
【０００３】
こうしたブラジャーには、着用者の胸回りの寸法に応じた調整ができるように、左右のサイドベルトの一方に第一フックを設け、サイドベルトの他方に第二フックを水平方向に複数設け、第一フックを複数の第二フックの一つに係止させる構造を備える。
こうしたブラジャーは、胸回りの調整はできるが、上方への調整を行うことはできない。
【０００４】
一方で、上方への調整を行う手段を有するブラジャーとして、肩紐の長さを調節できるものや（例えば、特許文献１参照）、カップと肩紐間を吊り紐で繋いで長さを調節することができるようにしたもの（例えば、特許文献２参照）が開示されている。
【先行技術文献】
【特許文献】
【０００５】
【特許文献１】実開昭４８−１１２５２４号公報
【特許文献２】特開２０１７−１９０５５０号公報
【発明の概要】
【発明が解決しようとする課題】
【０００６】
しかしながら、特許文献１に記載のブラジャーは、カップの上端部に連結された肩紐の長さを調節することによって上下方向の調整を行うものであり、従って、例えば、この肩紐短くすることによってカップを持ち上げ、このカップによって着用者の乳房を持ち上げる構成である。
【０００７】
また、特許文献２に記載のブラジャーも、カップと肩紐を結んだ吊り紐の長さを調節するものであり、従って、例えば、この吊り紐を短くすることによってカップを持ち上げ、このカップによって着用者の乳房を持ち上げるようにしている。
【０００８】
従って、特許文献１及び２に記載のブラジャーは共に、カップの形態等によっては、着用者の乳房の持ち上げを確実に行うことができないといった問題がある。
【０００９】
そこで、本発明の目的とするところは、カップの形態等に影響されず、着用者の乳房を、確実に、下から調節自在に支持し上方に持ち上げることができる調整式のブラジャーを提供することにある。
【課題を解決するための手段】
【００１０】
上記の目的を達成するために、本発明の調整式ブラジャー（１）は、
着用者の胸部中心部分から脇下部分にわたって左右に位置し、前記着用者の左側乳房および右側乳房をそれぞれ覆って支持する左カップ（１１）および右カップ（１２）を有し、前記両カップが前記胸部中心部分側で連結されたブラジャーであって、
一端部である固定部（Ｋ）が、前記左カップ（１１）の略下半部である左下カップ部（１１ａ）の前記胸部中心部分側に固定され、他端部である着脱部（Ｃ）が、前記左下カップ部（１１ａ）の前記脇下部分側に設けた受け部（Ｕ）に対して、前記左側乳房を下方から支持し上方に持ち上げる度合を調節自在でかつ着脱自在に固定される左支持部材（２０）と、
一端部である固定部（Ｋ）が、前記右カップ（１２）の略下半部である右下カップ部（１２ａ）の前記胸部中心部分側に固定され、他端部である着脱部（Ｃ）が、前記右下カップ部（１２ａ）の前記脇下部分側に設けた受け部（Ｕ）に対して、前記右側乳房を下方から支持し上方に持ち上げる度合を調節自在でかつ着脱自在に固定される右支持部材（３０）を備えることを特徴とする。
【００１１】
また、本発明は、前記左支持部材（２０）および前記右支持部材（３０）を、柔軟性のある紐片で形成したことを特徴とする。
【００１２】
また、本発明は、前記左支持部材（２０）および前記右支持部材（３０）を、前記左下カップ部（１１ａ）および前記右下カップ部（１２ａ）の輪郭に対応した湾曲形状の硬質片で形成したことを特徴とする。
【００１３】
また、本発明は、前記左支持部材（２０）および前記右支持部材（３０）をそれぞれ２本以上設けたことを特徴とする。
【００１４】
また、本発明は、前記左カップ（１１）および前記右カップ（１２）を少なくとも前部層（Ｍ）と後部層（Ｒ）を有する二層構造とし、前記左支持部材（２０）および前記右支持部材（３０）のそれぞれを、前記前部層（Ｍ）と前記後部層（Ｒ）との間に挟み込み、その前記着脱部（Ｃ）が前記脇下部分側で露出する状態で設けたことを特徴とする。
【００１５】
また、本発明は、前記左下カップ部（１１ａ）と、前記左支持部材（２０）の前記着脱部（Ｃ）を除く部分を一体化し、前記左支持部材（２０）を前記左下カップ部（１１ａ）よりも弾力のある弾性材で形成し、
前記右下カップ部（１２ａ）と、前記右支持部材（３０）の前記着脱部（Ｃ）を除く部分を一体化し、前記右支持部材（３０）を前記右下カップ部（１２ａ）よりも弾力のある弾性材で形成したことを特徴とする。
【００１６】
さらに、本発明は、前記着脱部（Ｃ）と前記受け部（Ｕ）を面ファスナー（Ｆ）で構成したことを特徴とする。
【００１７】
またさらに、本発明は、前記着脱部（Ｃ）と前記受け部（Ｕ）を凹部と凸部の係合構造（Ｅ）で構成したことを特徴とする。
【００１８】
ここで、上記括弧内の記号は、図面および後述する発明を実施するための形態に掲載された対応要素または対応事項を示す。
【発明の効果】
【００１９】
本発明の調整式ブラジャーによれば、左カップおよび右カップのそれぞれの固定部が、左下カップ部および右下カップ部の胸部中心部分側に固定され、それぞれの着脱部が、左下カップ部および右下カップ部の脇下部分側に設けた受け部に、左側乳房および右側乳房を下方から支持し上方に持ち上げる度合を調節自在とし、かつ着脱自在に固定される左支持部材および右支持部材を備えるので、確実に、着用者の左右の乳房を下から支持して上方に持ち上げることができる。
【００２０】
また、着脱部を受け部の所望箇所に留めることで、そのブラジャーの持つ機能を着用者の目的に合わせることができ、従って、乳房の持ち上げのみならず、左右寄せ、揺れの軽減、体型変化による緩み等のサイズ調整を行うことができる。また、左右の乳房に異なるサイズ調整を与えることもできる。従って、スポーツ用ブラジャーとしての使用にも適する。
【００２１】
また、本発明によれば、左支持部材および右支持部材を、柔軟性のある紐片で形成したので、着用者の皮膚を不快に刺激したり傷つけたりすることなく、確実に下から支持して上方に持ち上げることができる。
【００２２】
また、本発明によれば、左支持部材および右支持部材を、左下カップ部および右下カップ部の輪郭に対応した湾曲形状の硬質片で形成したので、着用者の乳房の全体を包み込むようにして、確実に下から支持して上方に持ち上げることができる。
【００２３】
また、本発明によれば、左支持部材および右支持部材をそれぞれ２本以上設けたので、より広い範囲で下から支持することができ、より確実に持ち上げることができる。
【００２４】
また、本発明によれば、左カップおよび右カップを少なくとも前部層と後部層を有する二層構造とし、左支持部材および右支持部材のそれぞれをこの二つの層の間に挟み込み、それぞれの着脱部が脇下部分側で露出するように設けたので、左支持部材および右支持部材の着脱部を除くほぼ全体を表面側から前部層によって覆い隠すことができる。
これにより、ブラジャーの外観性を向上させることができる。
【００２５】
また、本発明によれば、左下カップ部および右下カップ部と、左支持部材および右支持部材の着脱部を除く部分をそれぞれ一体化したので、左支持部材および右支持部材が表面側に独立して突出することはない。
これにより、ブラジャーの外観性を高めることができる。
また、左支持部材および右支持部材をそれぞれ左下カップ部および右下カップ部よりも弾力のある弾性材で形成したので、その弾性力を利用して着用者の乳房を下から支持して上方に持ち上げることができる。
従って、着用者の皮膚に不快な刺激を与えない。
【００２６】
さらに、本発明によれば、着脱部と受け部を面ファスナーで構成したので、左支持部材と右支持部材の左カップ（左下カップ部）および右カップ（右下カップ部）に対する着脱を、いわゆるワンタッチで極めて容易に行うことができる。
【００２７】
またさらに、本発明によれば、着脱部と受け部を凹部と凸部の係合構造で構成したので、左支持部材と右支持部材の左カップ（左下カップ部）および右カップ（右下カップ部）に対する着脱を、より強固なものにすることができる。
【図面の簡単な説明】
【００２８】
【図１】本発明の第一実施形態に係る調整式ブラジャーの着用状態を示す概略正面図である。
【図２】図１に示す調整式ブラジャーの概略正面図である（左支持部材および右支持部材を開放した状態）。
【図３】図１に示す調整式ブラジャーの概略正面図である（左支持部材および右支持部材を固定した状態）。
【図４】第一実施形態に係る調整式ブラジャーの他の態様であり、左支持部材および右支持部材をそれぞれ２本設けたものを示す概略正面図である（左支持部材および右支持部材を開放した状態）。
【図５】第一実施形態に係る調整式ブラジャーのさらに他の態様であり、左支持部材および右支持部材を湾曲形状の硬質片で形成したものを示す概略正面図である（左支持部材および右支持部材を開放した状態）。
【図６】本発明の第二実施形態に係る調整式ブラジャーを示すもので、（ａ）は概略正面図、（ｂ）は（ａ）のＸ−Ｘ線拡大断面図である。
【図７】本発明の第三実施形態に係る調整式ブラジャーを示すもので、（ａ）は概略正面図、（ｂ）は（ａ）のＹ−Ｙ線拡大断面図である。
【図８】上記実施形態に係る調整式ブラジャーにおいて、凹凸構造で構成された着脱部と受け部を示す断面図である。
【図９】本発明の第一実施形態に係る調整式ブラジャーを使用した状態における乳房周りの様子を示す断面図であり、（ｂ）は（ａ）と比較して局所的に支持部分の厚みを厚くしたものである。
【図１０】従来のブラジャーを使用した状態における乳房周りの様子を示す断面図である。
【図１１】第一実施形態に係る調整式ブラジャーの左支持部材および右支持部材を局所的に厚くしたものを示す概略正面図である（左支持部材および右支持部材を開放した状態）。
【発明を実施するための形態】
【００２９】
（第一実施形態）
図１乃至図３を参照して、本発明の第一実施形態に係る調整式ブラジャー１を説明する。図１は、第一実施形態に係る調整式ブラジャー１の着用状態を示し、図２は、図１に示す調整式ブラジャー１の左支持部材２０および右支持部材３０を開放した状態であり、図３はその左支持部材２０および右支持部材３０を固定した状態を示すものである。
【００３０】
第一実施形態に係る調整式ブラジャー１は、着用者の胸部中心部分から脇下部分にわたって左右に位置するものであり、着用者の左側乳房および右側乳房をそれぞれ覆って支持する左カップ１１および右カップ１２を有する。左カップ１１と右カップ１２は、着用者の胸部中心部分側で連結される。左カップ１１および右カップ１２のそれぞれの端部からはサイドベルト１３が延在する。また、左カップ１１および右カップ１２のそれぞれの上端部から、対応するサイドベルト１３に連結される肩紐１４が設けられる。
これら左カップ１１、右カップ１２、左右のサイドベルト１３、および左右の肩紐１４によってブラジャー本体１０が構成される。
この調整式ブラジャー１の特徴は、以下に述べる左支持部材２０と右支持部材３０を設けたことである。
【００３１】
左支持部材２０は、その一端部である固定部Ｋが、左カップ１１のほぼ下半部である左下カップ部１１ａの胸部中心部分側（胸部の中心部分であってもよいし、その中心部分周りであってもよい）に固定され、他端部である着脱部Ｃが、左下カップ部１１ａの脇下部分側に設けた受け部Ｕに着脱自在に固定される。着脱部Ｃは他端部の裏面側（左下カップ部１１ａ側）に設けられ、受け部Ｕは左下カップ部１１ａの表面側に設けられている。
すなわち、この左支持部材２０は、着用者の左側乳房を下方から支持して上方に持ち上げる度合を自在に調節しながら、着用者に適した状態で固定することができる。
【００３２】
右支持部材３０も同様に、その一端部である固定部Ｋが、右カップ１２のほぼ下半部である右下カップ部１２ａの胸部中心部分側（胸部の中心部分であってもよいし、その中心部分周りであってもよい）に固定され、他端部である着脱部Ｃが、右下カップ部１２ａの前記脇下部分側に設けた受け部Ｕに対して固定される。着脱部Ｃは他端部の裏面側（右下カップ部１２ａ側）に設けられ、受け部Ｕは右下カップ部１２ａの表面側に設けられている。
この右支持部材３０も、右側乳房を下方から支持して上方に持ち上げる度合を調節自在とし、かつ着脱自在に固定することができる。
【００３３】
また、本実施形態の調整式ブラジャー１は、左支持部材２０および右支持部材３０を、柔軟性のある長尺状の紐片で形成している。紐片の構成材料は限定されず、布製あるいは軟質樹脂製などのあらゆる柔軟性材料を使用することができる。
左支持部材２０および右支持部材３０を柔軟性のある紐片で形成することにより、着用者の皮膚を不快に刺激したり、傷つけることなく、下から確実に支持して上方に持ち上げることができる。
【００３４】
また、本実施形態では、左支持部材２０および右支持部材３０の着脱部Ｃと、左下カップ部１１ａおよび右下カップ部１２ａの受け部Ｕを共に面ファスナーＦで構成している。
この二つの面ファスナーＦは、その一方が多数のフックを有するフック状ファスナーであり、他方が多数のループを有するループ状ファスナーである。フックとループを絡み合わせて二つの面ファスナーＦを、いわゆるワンタッチで係合させる。
【００３５】
左支持部および右支持部に設けた面ファスナーＦは、左支持部および右支持部の端部の幅に収まる短尺状であり、左下カップ部１１ａおよび右下カップ部１２ａに設けた面ファスナーＦは、左下カップ部１１ａおよび右下カップ部１２ａのそれぞれの脇下部分側に、左右外方へやや広がるようにして縦方向に設けられた長尺状である。
【００３６】
なお、この面ファスナーＦは、左下カップ部１１ａおよび右下カップ部１２ａからその上方である左上カップ部１１ｂおよび右上カップ部１２ｂにわたって連続的に設けることができる。さらには、左下カップ部１１ａおよび右下カップ部１２ａと左上カップ部１１ｂおよび右上カップ部１２ｂに隣接する部分（本実施形態ではサイドベルト１３）に設けることもできる。
【００３７】
また、左支持部材２０および右支持部材３０を、それぞれを図４に示すように、２本、あるいはそれ以上設けて構成することもできる。
この際の左支持部材２０および右支持部材３０は、柔軟性材料の紐片でも良く、また、湾曲形状の硬質片でも良い。また、これらを組合わせたものであってもよい。例えば、左支持部材２０および右支持部材３０をそれぞれ２本設けた場合、左支持部材２０および右支持部材３０の上側を柔軟性材料の紐片で構成し、左支持部材２０および右支持部材３０の下側を湾曲形状の硬質片で構成することができる。
【００３８】
なお、図５に示すように、左支持部材２０および右支持部材３０は、紐片に代えて、左下カップ部１１ａおよび右下カップ部１２ａの輪郭（外面形状）に対応した湾曲形状の硬質片で形成することができる。
これにより、着用者の乳房の全体を包み込むようにして、確実に下から支持して上方に持ち上げることができる。なお、硬質片としては、樹脂材などを使用できる。
【００３９】
なお、着脱部Ｃと受け部Ｕは、面ファスナーＦに代えて、例えば、図８に示すような凹部（孔部や環状部を含む）と凸部とで形成される係合構造Ｅで構成することもできる。
ここでは、左支持部材２０および右支持部材３０の他端部裏面側に凸部が設けられ、左下カップ部１１ａおよび右下カップ部１２ａの表面側に凹部が設けられている。凸部は一つであるが、それに嵌合する凹部は、左下カップ部１１ａおよび右下カップ部１２ａの表面側において縦方向に複数段（例えば３段から５段）設けられている。
こうした係合構造Ｅはあらゆるものが存在しており、衣服に使用できる種々のものを採用することができる。
【００４０】
第一実施形態に係る調整式ブラジャー１は、次のように使用することができる。
まず、ブラジャー本体１０を着用する。
次に、左支持部材２０の着脱部Ｃと右支持部材３０の着脱部Ｃを、それぞれに対応する左下カップ部１１ａおよび右下カップ部１２ａの受け部Ｕに取り付ける。
この際、左支持部材２０と右支持部材３０で着用者の乳房を下から支持して持ち上げるようにし、着用者に適した状態で調整しつつ、着脱部Ｃを受け部Ｕに取付ける。
【００４１】
これによれば、図９（ａ）に示すように、いわゆるバストアップを行うことができると共に、乳房の下端部とその直下の皮膚部分とが密着するのを防止することができる。
ちなみに、従来の通常のブラジャー４０の場合は、図１０に示すように、乳房の下端部とその直下の皮膚部分とが密着する密着部Ｓが形成されてしまうので、例えば、夏季などではその部分に汗が溜まり、着用者に不快感を与えてしまうが、本実施形態による調整式ブラジャー１は、こうした問題も解決することができる。
【００４２】
また、図１１に示すように、調整式ブラジャー１の左支持部材２０および右支持部材３０を局所的に厚くするようにしてもよい。
ここでは、それぞれ左支持部材２０および右支持部材３０の略中央裏面側に厚肉部２５，３５を設けていて、図９（ｂ）に示すように、引張り力を集中させて乳房を効果的に引き上げるようにしている。
【００４３】
また、図面は省略するが、左支持部材２０の着脱部Ｃ側の端部と右支持部材３０の着脱部Ｃ側の端部を中心部側、あるいは端部以外の部分と比較して幅広（上下方向の幅を広くする）にして着脱部Ｃによる固定をより安定するようにすることもできる。このとき、着脱部Ｃ側の端部をテーパー状に徐々に幅広にすることもできる。
【００４４】
（第二実施形態）
次に図６を参照して、本発明の第二実施形態に係る調整式ブラジャー１を説明する。
第二実施形態に係る調整式ブラジャー１の特徴は、左カップ１１および右カップ１２を少なくとも前部層Ｍと後部層Ｒを有する二層構造とし、左支持部材２０および右支持部材３０のそれぞれを、これら前部層Ｍと後部層Ｒとの間に挟み込み、その着脱部Ｃが脇下部分側で露出するように設けたことである。
これによれば、左支持部材２０と右支持部材３０の着脱部Ｃを除く大部分を表面側から前部層Ｍで覆い隠すことができるので、ブラジャーの外観性を向上させることができる。
【００４５】
（第三実施形態）
次に図７を参照して、本発明の第三実施形態に係る調整式ブラジャー１を説明する。
第三実施形態に係る調整式ブラジャー１の特徴は、左下カップ部１１ａと、左支持部材２０の着脱部Ｃを除く部分を一体化すると共に、左支持部材２０を左下カップ部１１ａよりも弾力のある弾性材で形成したことである。また、右下カップ部１２ａと、右支持部材３０の着脱部Ｃを除く部分を一体化すると共に、右支持部材３０を右下カップ部１２ａよりも弾力のある弾性材で形成したことである。
【００４６】
これによれば、左支持部材２０および右支持部材３０の着脱部Ｃを除く部分をそれぞれ一体化したので、左支持部材２０および右支持部材３０が表面側に独立して突出することはない。
これにより、ブラジャーの外観性を高めることができる。
また、左支持部材２０および右支持部材３０をそれぞれ左下カップ部１１ａおよび右下カップ部１２ａよりも弾力のある弾性材で形成したので、その弾性力を利用して着用者の乳房を下から支持して上方に持ち上げることができる。
従って、着用者の皮膚に不快な刺激を与えない。
【００４７】
なお、第二および第三実施形態による調整式ブラジャー１も、第一実施形態による調整式ブラジャー１と同様に使用することができる。
【００４８】
また、第二および第三実施形態による調整式ブラジャー１において、図１１で示したように、左支持部材２０および右支持部材３０の略中央裏面側に厚肉部２５，３５を設けることで左支持部材２０および右支持部材３０を局所的に厚くするようにしてもよい。
これによれば、局所的に厚肉部２５，３５を設けることで、引張り力を集中させて乳房を効果的に引き上げるようにすることができるとともに、バストを盛ってよりきれいにみせることができる。特に第三実施形態による調整式ブラジャー１では、厚肉部２５，３５は直接、肌にあたる部分となるので、従来より知られているブラジャーパットと同様のはたらきをする。
【符号の説明】
【００４９】
１        調整式ブラジャー
１０      ブラジャー本体
１１      左カップ
１１ａ    左下カップ部
１１ｂ    左上カップ部
１２      右カップ
１２ａ    右下カップ部
１２ｂ    右上カップ部
１３      サイドベルト
１４      肩紐
２０      左支持部材
２５      厚肉部
３０      右支持部材
３５      厚肉部
４０      従来の通常のブラジャー
Ｋ        固定部
Ｃ        着脱部
Ｕ        受け部
Ｆ        面ファスナー
Ｍ        前部層
Ｒ        後部層
Ｅ        係合構造
Ｓ        密着部
【図１】
2020100905.tif 000003
【図２】
2020100905.tif 000004
【図３】
2020100905.tif 000005
【図４】
2020100905.tif 000006
【図５】
2020100905.tif 000007
【図６】
2020100905.tif 000008
【図７】
2020100905.tif 000009
【図８】
2020100905.tif 000010
【図９】
2020100905.tif 000011
【図１０】
2020100905.tif 000012
【図１１】
2020100905.tif 000013
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
着用者の胸部中心部分から脇下部分にわたって左右に位置し、前記着用者の左側乳房および右側乳房をそれぞれ覆って支持する左カップおよび右カップを有し前記両カップが前記胸部中心部分側で連結されたブラジャーであって、
一端部である固定部が、前記左カップの略下半部である左下カップ部の前記胸部中心部分側に固定され、他端部である着脱部が、前記左下カップ部の前記脇下部分側に設けた受け部に対して、前記左側乳房を下方から支持し上方に持ち上げる度合を調節自在でかつ着脱自在に固定される左支持部材と、
一端部である固定部が、前記右カップの略下半部である右下カップ部の前記胸部中心部分側に固定され、他端部である着脱部が、前記右下カップ部の前記脇下部分側に設けた受け部に対して、前記右側乳房を下方から支持し上方に持ち上げる度合を調節自在でかつ着脱自在に固定される右支持部材を備え、
前記左支持部材および前記右支持部材を、柔軟性のある紐片で形成し、前記受け部に対する前記着脱部の固定を開放した場合、前記紐片は前記固定部を除いて前記両カップに拘束されることなくかつ垂れるような状態で分離したものであり、
前記受け部に対する前記着脱部の固定位置を縦方向にかえることができるようにしたことを特徴とする調整式ブラジャー。
【請求項２】
着用者の胸部中心部分から脇下部分にわたって左右に位置し、前記着用者の左側乳房および右側乳房をそれぞれ覆って支持する左カップおよび右カップを有し前記両カップが前記胸部中心部分側で連結されたブラジャーであって、
一端部である固定部が、前記左カップの略下半部である左下カップ部の前記胸部中心部分側に固定され、他端部である着脱部が、前記左下カップ部の前記脇下部分側に設けた受け部に対して、前記左側乳房を下方から支持し上方に持ち上げる度合を調節自在でかつ着脱自在に固定される左支持部材と、
一端部である固定部が、前記右カップの略下半部である右下カップ部の前記胸部中心部分側に固定され、他端部である着脱部が、前記右下カップ部の前記脇下部分側に設けた受け部に対して、前記右側乳房を下方から支持し上方に持ち上げる度合を調節自在でかつ着脱自在に固定される右支持部材を備え、
前記左支持部材および前記右支持部材を、柔軟性のある紐片で形成し、
前記着脱部と前記受け部を面ファスナーで構成するとともに前記受け部を縦方向にのびる長尺状としたことを特徴とする調整式ブラジャー。
【請求項３】
着用者の胸部中心部分から脇下部分にわたって左右に位置し、前記着用者の左側乳房および右側乳房をそれぞれ覆って支持する左カップおよび右カップを有し前記両カップが前記胸部中心部分側で連結されたブラジャーであって、
一端部である固定部が、前記左カップの略下半部である左下カップ部の前記胸部中心部分側に固定され、他端部である着脱部が、前記左下カップ部の前記脇下部分側に設けた受け部に対して、前記左側乳房を下方から支持し上方に持ち上げる度合を調節自在でかつ着脱自在に固定される左支持部材と、
一端部である固定部が、前記右カップの略下半部である右下カップ部の前記胸部中心部分側に固定され、他端部である着脱部が、前記右下カップ部の前記脇下部分側に設けた受け部に対して、前記右側乳房を下方から支持し上方に持ち上げる度合を調節自在でかつ着脱自在に固定される右支持部材を備え、
前記左支持部材および前記右支持部材を、柔軟性のある紐片で形成し、前記受け部に対する前記着脱部の固定を開放した場合、前記紐片は前記固定部を除いて前記両カップに拘束されることなくかつ垂れるような状態で分離したものであり、
前記着脱部と前記受け部を凹部と凸部の係合構造で構成するとともに前記受け部を縦方向に複数段設けたことを特徴とする調整式ブラジャー。
【請求項４】
着用者の胸部中心部分から脇下部分にわたって左右に位置し、前記着用者の左側乳房および右側乳房をそれぞれ覆って支持する左カップおよび右カップを有し前記両カップが前記胸部中心部分側で連結されたブラジャーであって、
一端部である固定部が、前記左カップの略下半部である左下カップ部の前記胸部中心部分側に固定され、他端部である着脱部が、前記左下カップ部の前記脇下部分側に設けた受け部に対して、前記左側乳房を下方から支持し上方に持ち上げる度合を調節自在でかつ着脱自在に固定される左支持部材と、
一端部である固定部が、前記右カップの略下半部である右下カップ部の前記胸部中心部分側に固定され、他端部である着脱部が、前記右下カップ部の前記脇下部分側に設けた受け部に対して、前記右側乳房を下方から支持し上方に持ち上げる度合を調節自在でかつ着脱自在に固定される右支持部材を備え、
前記左支持部材および前記右支持部材を、前記左下カップ部および前記右下カップ部の輪郭に対応した湾曲形状の硬質片で形成したことを特徴とする調整式ブラジャー。
【請求項５】
着用者の胸部中心部分から脇下部分にわたって左右に位置し、前記着用者の左側乳房および右側乳房をそれぞれ覆って支持する左カップおよび右カップを有し前記両カップが前記胸部中心部分側で連結されたブラジャーであって、
一端部である固定部が、前記左カップの略下半部である左下カップ部の前記胸部中心部分側に固定され、他端部である着脱部が、前記左下カップ部の前記脇下部分側に設けた受け部に対して、前記左側乳房を下方から支持し上方に持ち上げる度合を調節自在でかつ着脱自在に固定される左支持部材と、
一端部である固定部が、前記右カップの略下半部である右下カップ部の前記胸部中心部分側に固定され、他端部である着脱部が、前記右下カップ部の前記脇下部分側に設けた受け部に対して、前記右側乳房を下方から支持し上方に持ち上げる度合を調節自在でかつ着脱自在に固定される右支持部材を備え、
前記左支持部材および前記右支持部材をそれぞれ２本以上設けたことを特徴とする調整式ブラジャー。
【請求項６】
着用者の胸部中心部分から脇下部分にわたって左右に位置し、前記着用者の左側乳房および右側乳房をそれぞれ覆って支持する左カップおよび右カップを有し前記両カップが前記胸部中心部分側で連結されたブラジャーであって、
一端部である固定部が、前記左カップの略下半部である左下カップ部の前記胸部中心部分側に固定され、他端部である着脱部が、前記左下カップ部の前記脇下部分側に設けた受け部に対して、前記左側乳房を下方から支持し上方に持ち上げる度合を調節自在でかつ着脱自在に固定される左支持部材と、
一端部である固定部が、前記右カップの略下半部である右下カップ部の前記胸部中心部分側に固定され、他端部である着脱部が、前記右下カップ部の前記脇下部分側に設けた受け部に対して、前記右側乳房を下方から支持し上方に持ち上げる度合を調節自在でかつ着脱自在に固定される右支持部材を備え、
前記左下カップ部と、前記左支持部材の前記着脱部を除く部分を一体化し、前記左支持部材を前記左下カップ部よりも弾力のある弾性材で形成し、
前記右下カップ部と、前記右支持部材の前記着脱部を除く部分を一体化し、前記右支持部材を前記右下カップ部よりも弾力のある弾性材で形成したことを特徴とする調整式ブラジャー。
【手続補正２】
【補正対象書類名】明細書
【補正対象項目名】００１０
【補正方法】変更
【補正の内容】
【００１０】
上記の目的を達成するために、本発明の調整式ブラジャー（１）は、
着用者の胸部中心部分から脇下部分にわたって左右に位置し、前記着用者の左側乳房および右側乳房をそれぞれ覆って支持する左カップ（１１）および右カップ（１２）を有し、前記両カップが前記胸部中心部分側で連結されたブラジャーであって、
一端部である固定部（Ｋ）が、前記左カップ（１１）の略下半部である左下カップ部（１１ａ）の前記胸部中心部分側に固定され、他端部である着脱部（Ｃ）が、前記左下カップ部（１１ａ）の前記脇下部分側に設けた受け部（Ｕ）に対して、前記左側乳房を下方から支持し上方に持ち上げる度合を調節自在でかつ着脱自在に固定される左支持部材（２０）と、
一端部である固定部（Ｋ）が、前記右カップ（１２）の略下半部である右下カップ部（１２ａ）の前記胸部中心部分側に固定され、他端部である着脱部（Ｃ）が、前記右下カップ部（１２ａ）の前記脇下部分側に設けた受け部（Ｕ）に対して、前記右側乳房を下方から支持し上方に持ち上げる度合を調節自在でかつ着脱自在に固定される右支持部材（３０）を備え、
前記左支持部材（２０）および前記右支持部材（３０）を、柔軟性のある紐片で形成し、前記受け部（Ｕ）に対する前記着脱部（Ｃ）の固定を開放した場合、前記紐片は前記固定部（Ｋ）を除いて前記両カップ（１１，１２）に拘束されることなくかつ垂れるような状態で分離したものであり、
前記受け部（Ｕ）に対する前記着脱部（Ｃ）の固定位置を縦方向にかえることができるようにしたことを特徴とする。
【手続補正３】
【補正対象書類名】明細書
【補正対象項目名】００１１
【補正方法】変更
【補正の内容】
【００１１】
また、本発明は、着用者の胸部中心部分から脇下部分にわたって左右に位置し、前記着用者の左側乳房および右側乳房をそれぞれ覆って支持する左カップ（１１）および右カップ（１２）を有し、前記両カップが前記胸部中心部分側で連結されたブラジャーであって、
一端部である固定部（Ｋ）が、前記左カップ（１１）の略下半部である左下カップ部（１１ａ）の前記胸部中心部分側に固定され、他端部である着脱部（Ｃ）が、前記左下カップ部（１１ａ）の前記脇下部分側に設けた受け部（Ｕ）に対して、前記左側乳房を下方から支持し上方に持ち上げる度合を調節自在でかつ着脱自在に固定される左支持部材（２０）と、
一端部である固定部（Ｋ）が、前記右カップ（１２）の略下半部である右下カップ部（１２ａ）の前記胸部中心部分側に固定され、他端部である着脱部（Ｃ）が、前記右下カップ部（１２ａ）の前記脇下部分側に設けた受け部（Ｕ）に対して、前記右側乳房を下方から支持し上方に持ち上げる度合を調節自在でかつ着脱自在に固定される右支持部材（３０）を備え、
前記左支持部材（２０）および前記右支持部材（３０）を、柔軟性のある紐片で形成し、
前記着脱部（Ｃ）と前記受け部（Ｕ）を面ファスナー（Ｆ）で構成するとともに前記受け部（Ｕ）を縦方向にのびる長尺状としたことを特徴とする
【手続補正４】
【補正対象書類名】明細書
【補正対象項目名】００１２
【補正方法】変更
【補正の内容】
【００１２】
また、本発明は、着用者の胸部中心部分から脇下部分にわたって左右に位置し、前記着用者の左側乳房および右側乳房をそれぞれ覆って支持する左カップ（１１）および右カップ（１２）を有し、前記両カップが前記胸部中心部分側で連結されたブラジャーであって、
一端部である固定部（Ｋ）が、前記左カップ（１１）の略下半部である左下カップ部（１１ａ）の前記胸部中心部分側に固定され、他端部である着脱部（Ｃ）が、前記左下カップ部（１１ａ）の前記脇下部分側に設けた受け部（Ｕ）に対して、前記左側乳房を下方から支持し上方に持ち上げる度合を調節自在でかつ着脱自在に固定される左支持部材（２０）と、
一端部である固定部（Ｋ）が、前記右カップ（１２）の略下半部である右下カップ部（１２ａ）の前記胸部中心部分側に固定され、他端部である着脱部（Ｃ）が、前記右下カップ部（１２ａ）の前記脇下部分側に設けた受け部（Ｕ）に対して、前記右側乳房を下方から支持し上方に持ち上げる度合を調節自在でかつ着脱自在に固定される右支持部材（３０）を備え、
前記左支持部材（２０）および前記右支持部材（３０）を、柔軟性のある紐片で形成し、前記受け部（Ｕ）に対する前記着脱部（Ｃ）の固定を開放した場合、前記紐片は前記固定部（Ｋ）を除いて前記両カップ（１１，１２）に拘束されることなくかつ垂れるような状態で分離したものであり、
前記着脱部（Ｃ）と前記受け部（Ｕ）を凹部と凸部の係合構造（Ｅ）で構成するとともに前記受け部（Ｕ）を縦方向に複数段設けたことを特徴とする。
【手続補正５】
【補正対象書類名】明細書
【補正対象項目名】００１３
【補正方法】変更
【補正の内容】
【００１３】
また、本発明は、着用者の胸部中心部分から脇下部分にわたって左右に位置し、前記着用者の左側乳房および右側乳房をそれぞれ覆って支持する左カップ（１１）および右カップ（１２）を有し、前記両カップが前記胸部中心部分側で連結されたブラジャーであって、
一端部である固定部（Ｋ）が、前記左カップ（１１）の略下半部である左下カップ部（１１ａ）の前記胸部中心部分側に固定され、他端部である着脱部（Ｃ）が、前記左下カップ部（１１ａ）の前記脇下部分側に設けた受け部（Ｕ）に対して、前記左側乳房を下方から支持し上方に持ち上げる度合を調節自在でかつ着脱自在に固定される左支持部材（２０）と、
一端部である固定部（Ｋ）が、前記右カップ（１２）の略下半部である右下カップ部（１２ａ）の前記胸部中心部分側に固定され、他端部である着脱部（Ｃ）が、前記右下カップ部（１２ａ）の前記脇下部分側に設けた受け部（Ｕ）に対して、前記右側乳房を下方から支持し上方に持ち上げる度合を調節自在でかつ着脱自在に固定される右支持部材（３０）を備え、
前記左支持部材（２０）および前記右支持部材（３０）を、前記左下カップ部（１１ａ）および前記右下カップ部（１２ａ）の輪郭に対応した湾曲形状の硬質片で形成したことを特徴とする。
【手続補正６】
【補正対象書類名】明細書
【補正対象項目名】００１４
【補正方法】変更
【補正の内容】
【００１４】
また、本発明は、着用者の胸部中心部分から脇下部分にわたって左右に位置し、前記着用者の左側乳房および右側乳房をそれぞれ覆って支持する左カップ（１１）および右カップ（１２）を有し、前記両カップが前記胸部中心部分側で連結されたブラジャーであって、
一端部である固定部（Ｋ）が、前記左カップ（１１）の略下半部である左下カップ部（１１ａ）の前記胸部中心部分側に固定され、他端部である着脱部（Ｃ）が、前記左下カップ部（１１ａ）の前記脇下部分側に設けた受け部（Ｕ）に対して、前記左側乳房を下方から支持し上方に持ち上げる度合を調節自在でかつ着脱自在に固定される左支持部材（２０）と、
一端部である固定部（Ｋ）が、前記右カップ（１２）の略下半部である右下カップ部（１２ａ）の前記胸部中心部分側に固定され、他端部である着脱部（Ｃ）が、前記右下カップ部（１２ａ）の前記脇下部分側に設けた受け部（Ｕ）に対して、前記右側乳房を下方から支持し上方に持ち上げる度合を調節自在でかつ着脱自在に固定される右支持部材（３０）を備え、
前記左支持部材（２０）および前記右支持部材（３０）をそれぞれ２本以上設けたことを特徴とする。
【手続補正７】
【補正対象書類名】明細書
【補正対象項目名】００１５
【補正方法】変更
【補正の内容】
【００１５】
また、本発明は、着用者の胸部中心部分から脇下部分にわたって左右に位置し、前記着用者の左側乳房および右側乳房をそれぞれ覆って支持する左カップ（１１）および右カップ（１２）を有し、前記両カップが前記胸部中心部分側で連結されたブラジャーであって、
一端部である固定部（Ｋ）が、前記左カップ（１１）の略下半部である左下カップ部（１１ａ）の前記胸部中心部分側に固定され、他端部である着脱部（Ｃ）が、前記左下カップ部（１１ａ）の前記脇下部分側に設けた受け部（Ｕ）に対して、前記左側乳房を下方から支持し上方に持ち上げる度合を調節自在でかつ着脱自在に固定される左支持部材（２０）と、
一端部である固定部（Ｋ）が、前記右カップ（１２）の略下半部である右下カップ部（１２ａ）の前記胸部中心部分側に固定され、他端部である着脱部（Ｃ）が、前記右下カップ部（１２ａ）の前記脇下部分側に設けた受け部（Ｕ）に対して、前記右側乳房を下方から支持し上方に持ち上げる度合を調節自在でかつ着脱自在に固定される右支持部材（３０）を備え、
前記左下カップ部（１１ａ）と、前記左支持部材（２０）の前記着脱部（Ｃ）を除く部分を一体化し、前記左支持部材（２０）を前記左下カップ部（１１ａ）よりも弾力のある弾性材で形成し、
前記右下カップ部（１２ａ）と、前記右支持部材（３０）の前記着脱部（Ｃ）を除く部分を一体化し、前記右支持部材（３０）を前記右下カップ部（１２ａ）よりも弾力のある弾性材で形成したことを特徴とする。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００２４
【補正方法】削除
【補正の内容】